(57)【特許請求の範囲】
【請求項１】
遊技領域に向けて遊技球を発射すべく操作されるハンドル装置を遊技機本体の前面に備えており、
前記ハンドル装置は、
前記遊技機本体に固定される基部と、
前記ハンドル装置の前面側を構成する前面カバーと、
前記基部と前記前面カバーとの間に設けられ、遊技球の発射操作に際して回動操作される操作部と、
を備え、前記基部と前記前面カバーとは第１固定構造により固定されており、
前記前面カバーは、
不透明性材料により形成された内側カバー部材と、
当該内側カバー部材の表面を外側から覆うようにして設けられ、前記内側カバー部材が視認可能なように透明性材料又は半透明性材料により形成された外側カバー部材と、
を備え、前記内側カバー部材と前記外側カバー部材とは第２固定構造により固定されており、
前記第２固定構造は、
前記外側カバー部材において前記操作部により外側から覆われる部位に形成された付勢受け部と、
前記内側カバー部材の裏面に固定され、一部が前記付勢受け部にて受けられる固定部材と、
を備えており、前記固定部材は前記内側カバー部材に固定された状態で弾性変形し、この弾性変形によって生じる付勢力が前記付勢受け部により受けられていることで、前記外側カバー部材と前記内側カバー部材とが相互に近付くように付勢されており、
当該第２固定構造による前記内側カバー部材と前記外側カバー部材との固定は、前記前面カバーの周縁部における少なくとも上部において行われており、
前記第１固定構造は、
前記内側カバー部材の裏面側に形成された固定受け部と、
前記基部側から前記固定受け部に受けられ、当該固定受け部に受けられることで前記基部に前記内側カバー部材を固定する固定具と、
を備えていることを特徴とする遊技機。
【発明の詳細な説明】
【技術分野】
【０００１】
本発明は、パチンコ機等の遊技機に関するものである。
【背景技術】
【０００２】
遊技機の一種であるパチンコ機は、遊技機本体の前面部にハンドル装置を備えており、当該ハンドル装置が操作されることで発射装置が動作し、遊技領域の上部に遊技球が発射される（例えば、特許文献１参照）。
【０００３】
従来のハンドル装置３５１は、図２３に示すように、遊技機本体３５２に固定された基部３５３と、ハンドル装置３５１の前面部を構成する前面カバー３５４と、これら基部３５３及び前面カバー３５４の間において回動自在に設けられ、遊技球の発射操作に際して回動操作される操作レバー３５５と、を備えている。遊技者は、操作レバー３５５の回動量を調節し、所望の飛距離となる回動位置に操作レバー３５５を保持した姿勢を維持して遊技を行う。
【先行技術文献】
【特許文献】
【０００４】
【特許文献１】特開２００６−３０５０７９号公報
【発明の概要】
【発明が解決しようとする課題】
【０００５】
ここで、上記例示等のような遊技機においては好適な構造のハンドル装置が求められており、この点について未だ改良の余地がある。
【０００６】
本発明は、上記例示した事情等に鑑みてなされたものであり、好適な構造のハンドル装置を有する遊技機を提供することを目的とするものである。
【課題を解決するための手段】
【０００７】
請求項１記載の発明は、遊技領域に向けて遊技球を発射すべく操作されるハンドル装置を遊技機本体の前面に備えており、
前記ハンドル装置は、
前記遊技機本体に固定される基部と、
前記ハンドル装置の前面側を構成する前面カバーと、
前記基部と前記前面カバーとの間に設けられ、遊技球の発射操作に際して回動操作される操作部と、
を備え、前記基部と前記前面カバーとは第１固定構造により固定されており、
前記前面カバーは、
不透明性材料により形成された内側カバー部材と、
当該内側カバー部材の表面を外側から覆うようにして設けられ、前記内側カバー部材が視認可能なように透明性材料又は半透明性材料により形成された外側カバー部材と、
を備え、前記内側カバー部材と前記外側カバー部材とは第２固定構造により固定されており、
前記第２固定構造は、
前記外側カバー部材において前記操作部により外側から覆われる部位に形成された付勢受け部と、
前記内側カバー部材の裏面に固定され、一部が前記付勢受け部にて受けられる固定部材と、
を備えており、前記固定部材は前記内側カバー部材に固定された状態で弾性変形し、この弾性変形によって生じる付勢力が前記付勢受け部により受けられていることで、前記外側カバー部材と前記内側カバー部材とが相互に近付くように付勢されており、
当該第２固定構造による前記内側カバー部材と前記外側カバー部材との固定は、前記前面カバーの周縁部における少なくとも上部において行われており、
前記第１固定構造は、
前記内側カバー部材の裏面側に形成された固定受け部と、
前記基部側から前記固定受け部に受けられ、当該固定受け部に受けられることで前記基部に前記内側カバー部材を固定する固定具と、
を備えていることを特徴とする。
【発明の効果】
【０００８】
本発明によれば、好適な構造のハンドル装置を有する遊技機を提供することが可能となる。
【図面の簡単な説明】
【０００９】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】本体枠の構成を示す正面図である。
【図６】遊技盤の構成を示す正面図である。
【図７】遊技盤の背面構成を示す斜視図である。
【図８】ハンドル装置の構成を示す斜視図である。
【図９】ハンドル装置の構成を示す斜視図である。
【図１０】ハンドル装置の構成を示す側面図である。
【図１１】ハンドル装置の構成を示す分解斜視図である。
【図１２】前面カバーの構成を示す斜視図である。
【図１３】前面カバーの構成を示す背面図である。
【図１４】前面カバーの構成を示す分解斜視図である。
【図１５】（ａ）は内側カバー部材の構成を示す背面図、（ｂ）は内側カバー部材の構成を示す側面図である。
【図１６】（ａ）は外側カバー部材の構成を示す背面図、（ｂ）は外側カバー部材の構成を示す側面図である。
【図１７】（ａ）は弾性固定部材の構成を示す斜視図、（ｂ）は弾性固定部材の構成を示す側面図である。
【図１８】内側カバー部材と外側カバー部材との固定構造を説明するための前面カバーの縦断面図である。
【図１９】前面カバーの構成を示す平面図である。
【図２０】パチンコ機の電気的構成を示すブロック図である。
【図２１】別の前面カバーの構成を示す平面図である。
【図２２】別の前面カバーの構成を示す平面図である。
【図２３】背景技術及び課題を説明するための説明図。
【発明を実施するための形態】
【００１０】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１１】
手段１．遊技領域に向けて遊技球を発射すべく操作されるハンドル装置（ハンドル装置４１）を遊技機本体（遊技機主部１３）の前面に備えており、
前記ハンドル装置は、
前記遊技機本体に固定される基部（基部１５１）と、
前記ハンドル装置の前面側を構成する前面カバー（前面カバー１５２）と、
前記基部と前記前面カバーとの間に設けられ、遊技球の発射操作に際して回動操作される操作部（操作部１５３）と、
を備え、前記基部と前記前面カバーとは第１固定構造により固定されており、
前記前面カバーは、
不透明性材料により形成された内側カバー部材（内側カバー部材１８１）と、
当該内側カバー部材の表面を外側から覆うようにして設けられ、前記内側カバー部材が視認可能なように透明性材料又は半透明性材料により形成された外側カバー部材（外側カバー部材１９１）と、
を備え、前記内側カバー部材と前記外側カバー部材とは第２固定構造により固定されており、
前記第２固定構造は、
前記外側カバー部材において前記操作部により外側から覆われる部位に形成された付勢受け部（開口部２１２）と、
前記内側カバー部材の裏面に固定され、一部が前記付勢受け部にて受けられる固定部材（弾性固定部材２０１）と、
を備えており、前記固定部材は前記内側カバー部材に固定された状態で弾性変形し、この弾性変形によって生じる付勢力が前記付勢受け部により受けられていることで、前記外側カバー部材と前記内側カバー部材とが相互に近付くように付勢されており、
前記第１固定構造は、
前記内側カバー部材の裏面側に形成された固定受け部（カバー側ボス１８６）と、
前記基部側から前記固定受け部に受けられ、当該固定受け部に受けられることで前記基部に前記内側カバー部材を固定する固定具（ネジ２１６）と、
を備えていることを特徴とする遊技機。
【００１２】
手段１によれば、ハンドル装置の前面カバーが内側カバー部材と外側カバー部材とを備えており、内側カバー部材は不透明性材料により形成されているとともに外側カバー部材は内側カバー部材が視認可能なように透明性材料又は半透明性材料により形成されている。これにより、前面カバーのデザインが良好なものとなっている。
【００１３】
この場合に、内側カバー部材と外側カバー部材とは、内側カバー部材の裏面に固定された固定部材が弾性変形し、その弾性変形によって生じる付勢力が付勢受け部により受けられていることで相互に固定されている。そして、付勢受け部は、外側カバー部材において操作部により外側から覆われた部位に形成されている。つまり、ハンドル装置の外観上、視認困難な領域に内側カバー部材と外側カバー部材との固定に関する構成を集約することが可能である。
【００１４】
また、内側カバー部材の裏面側に形成された固定受け部に基部側から固定具が受けられており、当該固定具が固定受け部に受けられていることで基部に内側カバー部材が固定されている。つまり、ハンドル装置の外観上、視認困難な領域に前面カバーと基部との固定に関する構成を集約することが可能である。
【００１５】
以上より、前面カバーを内側カバー部材と外側カバー部材との内外複数層構造とした構成において、内側カバー部材と外側カバー部材との固定に関する構成及び前面カバーと基部との固定に関する構成を、ハンドル装置の外観上、視認不可なものとすることが可能となる。よって、ハンドル装置のデザイン性を良好に高めることができる。
【００１６】
また、上記構成において、付勢受け部にて固定部材の付勢力を受けていることにより、外側カバー部材と内側カバー部材とが相互に近付くように付勢されている。これにより、内側カバー部材と外側カバー部材との固定の緩みを解消することが可能となる。固定の緩みが十分に解消されていないと、外側カバー部材と操作部との間を容易に広げることが可能となってしまい、コイン等により操作部を無理に仮固定する行為が懸念される。これに対して、上記のとおり内側カバー部材と外側カバー部材との固定の緩みを解消することが可能となるため、上記仮固定の行為を抑制することが可能となる。
【００１７】
手段２．手段１において、前記第２固定構造は、前記内側カバー部材と前記外側カバー部材との固定を、前記前面カバーの周縁における少なくとも上部において行うものであることを特徴とする遊技機。
【００１８】
コイン等により操作部を無理に仮固定しようとする場合、前面カバーの周縁における上部に対しては他の部位に比して大きな力を加えることができるものと考えられ、当該上部は上記仮固定が行われ易い箇所であると考えられる。この場合に、手段２によれば、第２固定構造による内側カバー部材と外側カバー部材との固定が前面カバーの周縁における少なくとも上部において行われているため、内側カバー部材と外側カバー部材との固定の緩みが前面カバーの周縁における上部において直接解消されている。これにより、上記仮固定の行為を直接的に抑制することが可能となる。
【００１９】
手段３．手段１又は２において、前記第２固定構造は、前記内側カバー部材と前記外側カバー部材との固定を、前記前面カバーの周縁における複数箇所において行うものであることを特徴とする遊技機。
【００２０】
手段３によれば、第２固定構造による内側カバー部材と外側カバー部材との固定が前面カバーの周縁における複数箇所において行われているため、内側カバー部材と外側カバー部材とを相互に近付ける付勢力を前面カバーの周縁において均等に加えることが可能となる。上記付勢力が前面カバーの周縁における１箇所に集中する場合を想定すると、内側カバー部材に対する外側カバー部材の相対位置が設計のものと異なってしまうおそれがあるが、本構成によれば、このような不都合の発生を抑制することが可能となる。特に、内側カバー部材と外側カバー部材との内外複数層構造はハンドル装置のデザイン性を良好に高めるためのものであるため、両者の位置合わせは正確に行われることが好ましく、本構成によれば当該位置合わせを正確に行うことが可能となる。
【００２１】
なお、複数箇所として、前面カバーの周縁において等間隔で固定する構成とする、又は前面カバーの周縁における少なくとも対向する２カ所を固定する構成とすることが好ましい。この場合、上記付勢力をより均等に加えることが可能となる。
【００２２】
手段４．手段１乃至３のいずれか１において、前記固定部材が前記付勢受け部に受けられていることにより、前記操作部の回動方向への前記外側カバー部材の回動が規制されていることを特徴とする遊技機。
【００２３】
上記のように前面カバーが内外複数層構造となった構成においては、操作部の回動操作に際して外側カバー部材が操作部の回動方向へ回動してしまうおそれがある。この場合に、手段４によれば、固定部材が付勢受け部に受けられていることにより、操作部の回動方向への外側カバー部材の回動が規制されている。これにより、上記不都合の発生を防止することができる。また、本構成においては、固定部材と付勢受け部とが回動規制機能をも有することとなり、固定部材及び付勢受け部の多機能化が図られる。
【００２４】
手段５．手段１乃至４のいずれか１において、前記内側カバー部材に形成された内側規制部（位置決め用突起１８７）と、前記外側カバー部材に形成された外側規制部（位置決め用溝１９６）と、を備えており、
前記内側規制部と前記外側規制部との当接により、前記操作部の回動方向への前記外側カバー部材の回動が規制されていることを特徴とする遊技機。
【００２５】
上記のように前面カバーが内外複数層構造となった構成においては、操作部の回動操作に際して外側カバー部材が操作部の回動方向へ回動してしまうおそれがある。この場合に、手段５によれば、内側規制部と外側規制部とが設けられていることにより、上記不都合の発生を防止することができる。
【００２６】
手段６．手段５において、前記内側規制部又は前記外側規制部のうち一方は、前記操作部の回動軸方向に延びる溝部であり、他方は、当該溝部に入り込む突部であることを特徴とする遊技機。
【００２７】
手段６によれば、内側規制部又は外側規制部のうち一方は操作部の回動軸方向に延びる溝部であり、他方は当該溝部に入り込む突部であるため、上記のように外側カバー部材の回動を規制する機能が果たされる。また、本構成においては、溝部と突部とを内側カバー部材と外側カバー部材との固定を行う際の位置決め用として用いることが可能となる。これにより、内側規制部及び外側規制部の多機能化が図られる。
【００２８】
手段７．手段５又は６において、前記内側規制部及び前記外側規制部は共に、前記操作部により外側から覆われる位置に形成されていることを特徴とする遊技機。
【００２９】
手段７によれば、内側規制部と外側規制部とはハンドル装置の外観上、視認困難なものとすることが可能となる。これにより、ハンドル装置のデザイン性を低下させることなく、内側規制部と外側規制部とを設けることができる。
【００３０】
手段８．手段１乃至７のいずれか１において、前記操作部は当該操作部の外周部分を構成する外環部を備えているとともに、前記外側カバー部材は前記外環部の前側端部の全周と前後に対向する対向壁部（環状段差部１９５）を備えており、
前記付勢受け部は、前記外側カバー部材において前記対向壁部よりも前記基部側であって前記外環部により外側から覆われた部位に形成されており、
さらに、前記固定具は、前記対向壁部を前記外環部の前側端部に向けて引寄せる方向に前記内側カバー部材に力を加えて当該内側カバー部材を前記基部に固定するものであることを特徴とする遊技機。
【００３１】
手段８によれば、外側カバー部材の対向壁部と外環部の前側端部との間の距離を極力小さくすることが可能となる。よって、外側カバー部材と操作部との間にコイン等を無理に挿し込むことを行いづらくすることが可能となり、操作部を無理に仮固定する行為を抑制することが可能となる。
【００３２】
手段９．手段８において、前記基部は、前記外環部の後側端部の全周又は略全周と前後に対向する基部側対向壁部（環状段差部１６６）を備えていることを特徴とする遊技機。
【００３３】
手段９によれば、前面カバーと操作部との間の隙間だけでなく、基部と操作部との間の隙間にコイン等を挿し込むことを困難なものとすることが可能となる。
【００３４】
なお、上記各手段によれば以下の課題を解決することが可能である。
【００３５】
遊技機の一種であるパチンコ機は、遊技機本体の前面部にハンドル装置を備えており、当該ハンドル装置が操作されることで発射装置が動作し、遊技領域の上部に遊技球が発射される。
【００３６】
従来のハンドル装置３５１は、図２３に示すように、遊技機本体３５２に固定された基部３５３と、ハンドル装置３５１の前面部を構成する前面カバー３５４と、これら基部３５３及び前面カバー３５４の間において回動自在に設けられ、遊技球の発射操作に際して回動操作される操作レバー３５５と、を備えている。遊技者は、操作レバー３５５の回動量を調節し、所望の飛距離となる回動位置に操作レバー３５５を保持した姿勢を維持して遊技を行う。
【００３７】
上記ハンドル装置３５１では、前面カバー３５４の基端側の周縁部を外側から覆うようにして操作レバー３５５が設けられており、両者の間には隙間３５６が生じている。当該構成においては、操作レバー３５５の回動位置の保持を手動によらずに行うようにすべく、前面カバー３５４と操作レバー３５５との間の隙間３５６にコイン３５７等を差し込んで操作レバー３５５を回動位置に固定する行為が行われていた。この場合、ハンドル装置３５１の損傷や故障の原因となるおそれがあった。
【００３８】
一方で、ハンドル装置は上記のとおり、前面部に設置されるものであるため、デザインをより良好なものとすることが好ましい。これに対して、本件発明者は、前面カバーを内外に複数層構造として、さらに外層のカバー部材を透明性材料により形成するとともに、内側のカバー部材を不透明性材料により形成する構成を考え出した。
【００３９】
しかしながら、上記複数層構造の前面カバーでは、外層のカバー部材が透明性材料であることに起因して、外層のカバー部材の固定をどのように行うかが問題となる。例えば、外層のカバー部材をその内側のカバー部材又はハンドル装置の基部に固定すべく、外層のカバー部材の裏面にボスなどといった固定部を形成する構成が考えられるが、この場合、外層のカバー部材が透明性材料により形成されていることで、固定部がハンドル装置の外観において視認可能となってしまい、デザイン上好ましくない。一方、外層のカバー部材の固定が強固に行われないと、外層のカバー部材と操作レバーとの上記隙間を少なくすることが困難なものとなってしまう。
【００４０】
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００４１】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００４２】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００４３】
本体枠１３には、図２に示すように、前扉枠１４が回動可能に支持されており、正面視で左側を回動基端側とし右側を回動先端側として前方へ回動可能とされている。また、本体枠１３には、図３に示すように、裏パックユニット１５が回動可能に支持されており、正面視で左側を回動基端側とし右側を回動先端側として後方へ回動可能とされている。
【００４４】
次に、前扉枠１４について説明する。なお、以下の説明では、図１〜図３を参照する。
【００４５】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００４６】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００４７】
下側膨出部３２の右方には、手前側へ突出するようにしてハンドル装置４１が設けられている。ハンドル装置４１が操作されることにより、後述する遊技球発射機構から遊技球が発射される。このハンドル装置４１の構成については、後に詳細に説明する。
【００４８】
次に、本体枠１３について詳細に説明する。図５は本体枠１３の正面図である。
【００４９】
本体枠１３は、外形が外枠１１とほぼ同一形状をなす樹脂ベース５１を主体に構成されている。樹脂ベース５１の中央部には略楕円形状の窓孔５２が形成されている。樹脂ベース５１には遊技盤６１が着脱可能に取り付けられている。遊技盤６１は合板よりなり、遊技盤６１の前面に形成された遊技領域が樹脂ベース５１の窓孔５２を通じて本体枠１３の前面側に露出した状態となっている。
【００５０】
ここで、遊技盤６１の構成を図６に基づいて説明する。遊技盤６１には、ルータ加工が施されることによって前後方向に貫通する大小複数の開口部が形成されている。各開口部には一般入賞口６２，可変入賞装置６３，作動口６４，スルーゲート６５及び可変表示ユニット６６等がそれぞれ設けられている。一般入賞口６２は、左右にそれぞれ２個ずつ合計４個設けられている。一般入賞口６２、可変入賞装置６３及び作動口６４に遊技球が入ると、それが後述する検知スイッチにより検知され、その検知結果に基づいて所定数の賞球の払い出しが実行される。その他に、遊技盤６１の最下部にはアウト口６７が設けられており、各種入賞口等に入らなかった遊技球はアウト口６７を通って遊技領域から排出される。また、遊技盤６１には、遊技球の落下方向を適宜分散、調整等するために多数の釘６８が植設されていると共に、風車等の各種部材（役物）が配設されている。
【００５１】
可変表示ユニット６６には、作動口６４への入賞をトリガとして図柄を可変表示する図柄表示装置７１が設けられている。また、可変表示ユニット６６には、図柄表示装置７１を囲むようにしてセンターフレーム７２が配設されている。センターフレーム７２の上部には、第１特定ランプ部７３及び第２特定ランプ部７４が設けられている。また、センターフレーム７２の上部及び下部にはそれぞれ保留ランプ部７５，７６が設けられている。下側の保留ランプ部７５は、図柄表示装置７１及び第１特定ランプ部７３に対応しており、遊技球が作動口６４を通過した回数は最大４回まで保留され保留ランプ部７５の点灯によってその保留個数が表示されるようになっている。上側の保留ランプ部７６は、第２特定ランプ部７４に対応しており、遊技球がスルーゲート６５を通過した回数は最大４回まで保留され保留ランプ部７６の点灯によってその保留個数が表示されるようになっている。
【００５２】
図柄表示装置７１は、液晶ディスプレイを備えた液晶表示装置として構成されており、後述する表示制御装置により表示内容が制御される。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００５３】
第１特定ランプ部７３では、作動口６４への入賞をトリガとして所定の順序で発光色の切り替えが行われ、予め定められた色で停止表示された場合には大当たりが発生する。また、第２特定ランプ部７４では、遊技球のスルーゲート６５の通過をトリガとして所定の順序で発光色の切り替えが行われ、予め定められた色で停止表示された場合には作動口６４に付随する電動役物が所定時間だけ開放状態となる。
【００５４】
可変入賞装置６３は、通常は遊技球が入賞できない又は入賞し難い閉状態になっており、大当たりの際に遊技球が入賞しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００５５】
遊技盤６１には、内レール部５３と外レール部５４とが取り付けられており、これら内レール部５３と外レール部５４とにより誘導レールが構成され、後述する遊技球発射機構から発射された遊技球が遊技領域の上部に案内されるようになっている。
【００５６】
遊技球発射機構８０は、図５に示すように、樹脂ベース５１における窓孔５２の下方に取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。なお、遊技球発射機構８０の電動アクチュエータはソレノイド８１に限定されることはなく、発射モータなどを用いてもよい。
【００５７】
次に、遊技盤６１の背面の構成を説明する。図７は遊技盤６１を後方より見た斜視図である。遊技盤６１の背面には、主制御装置ユニット９０及び音声ランプ制御装置ユニット１００が搭載されている。
【００５８】
主制御装置ユニット９０は、合成樹脂製の取付台９１を有し、取付台９１に主制御装置９２が搭載されている。主制御装置９２は、遊技の主たる制御を司る機能（主制御回路）と、電源を監視する機能（停電監視回路）とを有する主制御基板を具備しており、当該主制御基板が透明樹脂材料等よりなる基板ボックス９３に収容されて構成されている。
【００５９】
音声ランプ制御装置ユニット１００は、音声ランプ制御装置１０１と、取付台１０２とを具備する構成となっており、取付台１０２上に音声ランプ制御装置１０１が装着されている。音声ランプ制御装置１０１は、主制御装置９２からの指示に従い音声やランプ表示、及び図示しない表示制御装置の制御を司る音声ランプ制御基板を具備しており、音声ランプ制御基板が透明樹脂材料等よりなる基板ボックス１０３に収容されて構成されている。
【００６０】
次に、裏パックユニット１５について図３及び図４を参照して説明する。
【００６１】
裏パックユニット１５は、裏パック１１１を備えており、当該裏パック１１１に対して、払出機構部１１２及び制御装置集合ユニット１１３が取り付けられている。裏パック１１１は透明性を有する合成樹脂により成形されており、払出機構部１１２などが取り付けられるベース部１２１と、パチンコ機１０後方に突出し略直方体形状をなす保護カバー部１２２とを有する。
【００６２】
ベース部１２１には、その右上部に外部端子板１２３が設けられている。外部端子板１２３には各種の出力端子が設けられており、これらの出力端子を通じて遊技ホール側の管理制御装置に対して各種信号が出力される。
【００６３】
ベース部１２１には、保護カバー部１２２を迂回するようにして払出機構部１１２が配設されている。すなわち、裏パック１１１の最上部には上方に開口したタンク１３１が設けられており、タンク１３１には遊技ホールの島設備から供給される遊技球が逐次補給される。タンク１３１の下方には、下流側に向けて緩やかに傾斜するタンクレール１３２が連結され、タンクレール１３２の下流側には上下方向に延びるケースレール１３３が連結されている。ケースレール１３３の最下流部には払出装置１３４が設けられている。払出装置１３４より払い出された遊技球は、当該払出装置１３４の下流側に設けられた図示しない払出通路を通じて、上皿３３又は下皿３４に排出される。
【００６４】
払出機構部１１２には、裏パック基板１３５が設置されている。裏パック基板１３５には、例えば交流２４ボルトの主電源が供給され、電源スイッチ１３５ａの切替操作により電源ＯＮ又は電源ＯＦＦとされるようになっている。
【００６５】
ベース部１２１の下端部には、制御装置集合ユニット１１３が取り付けられている。制御装置集合ユニット１１３は、横長形状をなす取付台１４１を有し、取付台１４１に払出制御装置１４２と電源及び発射制御装置１４３とが搭載されている。これら払出制御装置１４２と電源及び発射制御装置１４３とは、払出制御装置１４２がパチンコ機１０後方となるように前後に重ねて配置されている。
【００６６】
払出制御装置１４２は、基板ボックス１４４内に払出装置１３４を制御する払出制御基板が収容されている。なお、払出制御装置１４２から払出装置１３４への払出指令の信号は上述した裏パック基板１３５により中継される。また、払出制御装置１４２には状態復帰スイッチ１４５が設けられている。例えば、払出装置１３４における球詰まり等、払出エラーの発生時において状態復帰スイッチ１４５が押されると、球詰まりの解消が図られるようになっている。
【００６７】
電源及び発射制御装置１４３は、基板ボックス１４６内に電源及び発射制御基板が収容されており、当該基板により、各種制御装置等で要する所定の電力が生成されて出力され、さらに遊技者によるハンドル装置４１の操作に伴う遊技球の打ち出しの制御が行われる。また、電源及び発射制御装置１４３にはＲＡＭ消去スイッチ１４７が設けられている。本パチンコ機１０は各種データの記憶保持機能を有しており、万一停電が発生した際でも停電時の状態を保持し、停電からの復帰の際には停電時の状態に復帰できるようになっている。
【００６８】
次に、ハンドル装置４１の構成について説明する。図８はハンドル装置４１を前方から見た斜視図、図９はハンドル装置４１を後方から見た斜視図、図１０はハンドル装置４１の側面図、図１１はハンドル装置４１の分解斜視図である。
【００６９】
ハンドル装置４１は、前扉枠１４に固定される基部１５１と、ハンドル装置４１の前面側を構成する前面カバー１５２と、基部１５１と前面カバー１５２との間に設けられ、遊技球の発射操作に際して回動操作される操作部１５３と、を備えている。
【００７０】
基部１５１は、ＡＢＳ樹脂などの不透明な材料により筒状に形成されており、図１１に示すように、一方の開口側はその内径及び外径が共に拡径されている。当該拡径領域１６１には、操作部１５３の回動操作量を検知するためのギア部品１６２，１６３と、操作部１５３を回動操作した状態において遊技球の発射を停止させるために操作される発射止めスイッチ１６４と、発射止めスイッチ１６４が操作されていることを検知するプッシュセンサ１６５と、が設置されている。
【００７１】
ギア部品１６２，１６３は基部１５１に内蔵されている可変抵抗器と接続されており、ギア部品１６２，１６３の回転に応じて可変抵抗器の抵抗値が変化し、その抵抗値が電源及び発射制御装置１４３に出力されることで、当該電源及び発射制御装置１４３にて操作部１５３の回動操作量が把握される。また、プッシュセンサ１６５の検知信号が電源及び発射制御装置１４３に出力されることで、当該電源及び発射制御装置１４３にて発射止めスイッチ１６４が操作されているか否かが把握される。さらには、基部１５１には操作部１５３が実際に手で触れられていることを検知するタッチセンサが内蔵されており、このタッチセンサの検知信号が電源及び発射制御装置１４３に出力されることで、当該電源及び発射制御装置１４３にて操作部１５３が手で触れられているか否かが把握される。
【００７２】
拡径領域１６１を構成する周壁部には、先端側を絞るようにして環状段差部１６６が形成されている。環状段差部１６６は、操作部１５３の後側端部と対峙している。拡径領域１６１には、軸線方向に延びる基部側ボス１６７が複数形成されている。当該基部側ボス１６７については後に説明する。
【００７３】
操作部１５３は、ＡＢＳ樹脂により形成されており、その周面全体に金属膜がメッキされている。つまり、操作部１５３は全体として不透明性を有している。なお、操作部１５３を、金属により形成してもよい。
【００７４】
操作部１５３は、図１１に示すように、二重環形状をなしている。操作部１５３の軸線は基部１５１の軸線と同一直線上にある。操作部１５３の中央には、軸線方向に延びる軸部１７１が設けられており、当該軸部１７１は基部１５１に形成された図示しない軸孔部及び前面カバー１５２に形成された軸孔部１７２のそれぞれに対して遊挿されている。操作部１５３は当該軸部１７１を回動中心として回動可能となっている。また、操作部１５３の外周面には外方に起立した指掛け部１７３が複数形成されている。操作部１５３が回動操作される場合にはこれら指掛け部１７３に指を掛けることで、当該回動操作を容易に行うことができる。操作部１５３の前方に前面カバー１５２が設置されている。
【００７５】
ちなみに、操作部１５３は、軸部１７１が設けられた内環部１７４と指掛け部１７３が形成された外環部１７５とを備えており、これら内環部１７４と外環部１７５とが連結部１７６により連結された形状をなしている。この場合、連結部１７６は、操作部１５３の初期位置及び最大回動位置の各位置を規定するように形成されている。言い換えると、連結部１７６は、操作部１５３の回動操作範囲内において当該回動操作を阻害しないように形成されている。
【００７６】
前面カバー１５２は、全体としてドーム形状をなしており、複数層構造となっている。具体的には、内側カバー部材１８１及び外側カバー部材１９１を備えた２層構造となっており、これら内側カバー部材１８１及び外側カバー部材１９１が固定されて一体化されている。
【００７７】
ここで、前面カバー１５２の構成について詳細に説明する。図１２は前面カバー１５２を後方から見た斜視図、図１３は前面カバー１５２の背面図、図１４は前面カバー１５２の分解斜視図、図１５（ａ）は内側カバー部材１８１の背面図、図１５（ｂ）は内側カバー部材１８１の側面図、図１６（ａ）は外側カバー部材１９１の背面図、図１６（ｂ）は外側カバー部材１９１の側面図である。
【００７８】
内側カバー部材１８１は、ＡＢＳ樹脂などにより形成されており、全体が不透明となっている。具体的には、白色不透明（有色不透明）となっている。但し、内側カバー部材１８１は白色不透明なものに限定されることはなく、内側カバー部材１８１の表面に有色のメッキなどを施したものとしてもよく、さらにまた、ベースとなる材料をポリカーボネートなどの透明性を有する合成樹脂材料とし、それに不透明な材料を添加したものにより形成することで、不透明なものとしてもよい。なお、内側カバー部材１８１はその全体が不透明であることは必須ではなく、少なくとも操作部１５３よりも前方に位置する領域の表面が不透明であればよい。
【００７９】
内側カバー部材１８１は、図１２や図１５（ｂ）等に示すように、ドーム形状をなしている。内側カバー部材１８１の曲面形状をなす内側曲面部１８２には滑らかな曲線を描くように内側デザイン溝１８３が形成されており、この内側デザイン溝１８３により内側曲面部１８２のデザイン性が高められている。なお、この内側デザイン溝１８３は、内側曲面部１８２の表面及び裏面のいずれにおいても凹凸が生じるように形成されているが、表面のみに凹凸が生じるように形成してもよい。また、内側カバー部材１８１は、内側曲面部１８２における開放先端の全周から軸線方向に延出した内側環状壁部１８４が一体形成されている。
【００８０】
内側カバー部材１８１の裏面には、図１５（ａ）に示すように、操作部１５３の軸部１７１が遊挿される上述した軸孔部１７２が一体形成されている。軸孔部１７２は、当該裏面を基端として操作部１５３側に延びている。また、内側カバー部材１８１の裏面には、当該裏面を基端として操作部１５３に向けて軸線方向に延びるカバー側ボス１８５，１８６が一体形成されている。カバー側ボス１８５，１８６は複数形成されており、そのうちの一部のカバー側ボス１８５は内側カバー部材１８１と外側カバー部材１９１とを固定する場合に用いられ、他のカバー側ボス１８６は前面カバー１５２を基部１５１に固定する場合に用いられる。これらの固定に関する構成については後に説明する。軸孔部１７２及びカバー側ボス１８５，１８６は、内側カバー部材１８１の表面の形状に影響を与えないようにして形成されている。
【００８１】
外側カバー部材１９１は、ポリカーボネートなどといった透明性を有する合成樹脂材料により形成されており、内側カバー部材１８１よりも１回り大きいドーム形状となっている。外側カバー部材１９１の曲面形状をなす外側曲面部１９２には内側カバー部材１８１の内側曲面部１８２に形成された内側デザイン溝１８３に対応させて外側デザイン溝１９３が形成されており、この外側デザイン溝１９３により外側曲面部１９２のデザイン性が高められている。なお、この外側デザイン溝１９３は、外側曲面部１９２の表面及び裏面のいずれにおいても凹凸が生じるように形成されているが、表面のみに凹凸が生じるように形成してもよい。
【００８２】
外側カバー部材１９１には、外側曲面部１９２の開放先端の全周から軸線方向に延出させて外側環状壁部１９４が一体形成されている。外側環状壁部１９４と外側曲面部１９２との境界部分には、外側曲面部１９２の開放先端に対して外側環状壁部１９４が内側となるように環状段差部１９５が形成されている。ちなみに、上記のとおり内側カバー部材１８１の裏面には軸孔部１７２やカバー側ボス１８５，１８６が形成されていたが、外側カバー部材１９１の裏面にはこれら軸孔部１７２やカバー側ボス１８５，１８６は形成されていない。つまり、外側カバー部材１９１には、内側カバー部材１８１、操作部１５３及び基部１５１に対する固定や支持において用いられる突起は形成されていない。また、外側曲面部１９２と環状段差部１９５との境界部分は、縦断面で曲線状となるように形成されている。
【００８３】
外側環状壁部１９４には、その開放先端から外側曲面部１９２側に凹ませるようにして複数の位置決め用溝１９６が複数（具体的には３個）形成されている。これら位置決め用溝１９６は、外側環状壁部１９４の周方向に等間隔で形成されている。位置決め用溝（キー溝）１９６に１対１で対応させて、内側カバー部材１８１の内側環状壁部１８４には外方に突出させて位置決め用突起（キー）１８７が一体形成されている。そして、各位置決め用溝１９６内に各位置決め用突起１８７が入り込むようにして、外側カバー部材１９１の内側に内側カバー部材１８１が嵌め込まれている。この場合、各位置決め用突起１８７は、図１２に示すように、入り込んだ位置決め用溝１９６の反開放側の壁部に対して当接又は僅かに離間された状態となっているとともに、位置決め用溝１９６の側壁部に対して当接又は僅かに離間された状態となっている。
【００８４】
この嵌め込まれた状態において、内側カバー部材１８１の表面は位置決め用突起１８７を除いてその全体が外側カバー部材１９１により覆われている。つまり、外側曲面部１９２は内側曲面部１８２に沿った状態となっており、内側曲面部１８２の表面に対して外側曲面部１９２の裏面が当接している。この場合、外側デザイン溝１９３と内側デザイン溝１８３とは内外に重なり合っている。また、外側環状壁部１９４は内側環状壁部１８４に沿った状態となっており、内側環状壁部１８４の表面に対して外側環状壁部１９４の裏面が当接している。なお、内側曲面部１８２の表面に対して外側曲面部１９２の裏面が僅かに離間された状態であってもよく、内側環状壁部１８４の表面に対して外側環状壁部１９４の裏面が僅かに離間された状態であってもよい。外側環状壁部１９４は内側環状壁部１８４よりも操作部１５３側に延出している。
【００８５】
内側カバー部材１８１と外側カバー部材１９１とは弾性固定部材２０１を用いて相互に固定されている。ここで、この両カバー部材１８１，１９１の固定に関する構成について説明する。図１７（ａ）は弾性固定部材２０１の斜視図、図１７（ｂ）は弾性固定部材２０１の側面図、図１８は内側カバー部材１８１と外側カバー部材１９１との固定構造を説明するための前面カバー１５２の縦断面図である。
【００８６】
弾性固定部材２０１は、ポリカーボネートにより形成されている。なお、ポリカーボネートに限定されることはなく、ＡＢＳ樹脂などの他の合成樹脂材料により形成してもよい。弾性固定部材２０１は、厚み方向に貫通した固定用孔２０２と位置決め用孔２０３とが並設されたベース板部２０４と、当該ベース板部２０４の一端に一体形成された爪部２０５とを備えている。ベース板部２０４と爪部２０５との境界部分には段差部２０６が形成されており、弾性固定部材２０１は全体として段差形状となっている。ベース板部２０４及び爪部２０５はそれぞれ薄肉に形成されており、上記厚み方向に弾性変形可能となっている。固定用孔２０２は、ベース板部２０４において上記段差部２０６側の端部に形成されている。なお、ベース板部２０４と爪部２０５とを連結するようにしてリブ２０７が形成されている。
【００８７】
弾性固定部材２０１は複数設けられており、これら複数の弾性固定部材２０１により内側カバー部材１８１と外側カバー部材１９１とが相互に固定されている。詳細には、上記のとおり内側カバー部材１８１の裏面には複数のカバー側ボス１８５，１８６が形成されており、そのうち、内側カバー部材１８１の上部及び下部に形成されたカバー側ボス１８５には、図１５（ａ）に示すように、弾性固定部材２０１の固定用孔２０２に対応させてネジ穴１８５ａが形成されている。また、各カバー側ボス１８５に対しては、内側カバー部材１８１の周壁部と連結するようにリブ１８８が形成されているとともに、中央側にもリブ１８９が形成されている。これら中央側のリブ１８９にはその先端に、弾性固定部材２０１の位置決め用孔２０３に対応させて位置決めピン１８９ａが一体形成されている。
【００８８】
また、内側カバー部材１８１の内側環状壁部１８４には、図１４や図１５（ａ）に示すように、その上部及び下部に、先端から凹ませて凹部２１１が形成されている。つまり、凹部２１１は各カバー側ボス１８５に１対１で対応させて形成されている。この凹部２１１に１対１で対応させて、外側カバー部材１９１の外側環状壁部１９４には、図１４に示すように、内外に貫通する開口部２１２が形成されている。開口部２１２は対応する凹部２１１と内外に重なり合っている。
【００８９】
これら凹部２１１と開口部２１２との位置合わせについて、上記のとおり、内側カバー部材１８１には位置決め用突起１８７が形成されており、これに対応させて外側カバー部材１９１には位置決め用溝１９６が形成されている。そして、外側カバー部材１９１に内側カバー部材１８１を嵌め込む際に各位置決め用溝１９６内に位置決め用突起１８７が入り込むようにすることで、凹部２１１と開口部２１２との位置合わせを良好に行うことができる。
【００９０】
弾性固定部材２０１は、内外に重ね合わせた凹部２１１及び開口部２１２内に爪部２０５を挿入した状態でカバー側ボス１８５にネジ止めされている。この弾性固定部材２０１による固定について、図１８を用い、前面カバー１５２の上部における固定を例に挙げて説明する。なお、前面カバー１５２の下部における固定は上部における固定と同様である。
【００９１】
内側カバー部材１８１と外側カバー部材１９１との固定に際して、弾性固定部材２０１は、爪部２０５が内外に重ね合わせた凹部２１１及び開口部２１２内に挿入され、ベース板部２０４に形成された位置決め用孔２０３内に内側カバー部材１８１の位置決めピン１８９ａが挿入され、さらにベース板部２０４に形成された固定用孔２０２とカバー側ボス１８５のネジ穴１８５ａとが連通されるように設置される。この場合、固定用孔２０２は一方の開口側が拡径されており、その拡径された大径部２０２ａ内にはカバー側ボス１８５の先端が挿入されている。
【００９２】
上記のように弾性固定部材２０１が設置された状態において、固定用孔２０２の小径部２０２ｂ側からネジ２１５が挿通され、当該ネジ２１５がカバー側ボス１８５のネジ穴１８５ａに対して螺着されている。これにより、弾性固定部材２０１がカバー側ボス１８５に、すなわち、内側カバー部材１８１に固定されている。この場合、弾性固定部材２０１は、ネジ２１５の螺着が完了する前の段階では、図１８において二点鎖線で示す状態にある。つまり、弾性固定部材２０１の爪部２０５は内側カバー部材１８１における凹部２１１周縁の前側壁部に接しているものの、爪部２０５の先端は外側カバー部材１９１における開口部２１２周縁の後側壁部に接していない。その後、ネジ２１５の螺着が完了することで弾性固定部材２０１の全体がカバー側ボス１８５側（前側）に移動し、その際、爪部２０５は凹部２１１と接した部位を支点として後側に弾性変形する。これにより、爪部２０５の先端が開口部２１２の後側壁部に接するとともに、当該後側壁部に対して爪部２０５から後方に向けた力が付加される。これにより、内側カバー部材１８１と外側カバー部材１９１とが相互に固定されるとともに、外側カバー部材１９１が内側カバー部材１８１に向けて付勢される。
【００９３】
なお、ネジ２１５の螺着が完了する前の段階で、爪部２０５の先端が開口部２１２周縁の後側壁部に接しており、さらにネジ２１５の螺着が完了することで爪部２０５が弾性変形し、当該爪部２０５の先端が開口部２１２の後側壁部を後方に押し込む構成としてもよい。当該構成であっても、内側カバー部材１８１と外側カバー部材１９１とが相互に固定されるとともに、外側カバー部材１９１が内側カバー部材１８１に向けて付勢される。
【００９４】
相互に固定された内側カバー部材１８１と外側カバー部材１９１とは、両者の軸線が同一直線上にある。この場合、内側カバー部材１８１と外側カバー部材１９１とは、上記軸線を中心として相互に回動しないように回動規制構造が設けられている。そこで、この回動規制構造について、図１９を用いて説明する。図１９は、前面カバー１５２の構成を示す平面図である。
【００９５】
上記のとおり、内側カバー部材１８１には位置決め用突起１８７が形成されており、外側カバー部材１９１には位置決め用溝１９６が形成されている。これら位置決め用突起１８７と位置決め用溝１９６とは１対１で対応しており、外側カバー部材１９１に対して内側カバー部材１８１が嵌め込まれた状態では、各位置決め用溝１９６に各位置決め用突起１８７が入り込んでいる。この場合、入り込んだ位置決め用溝１９６の側壁部に対して位置決め用突起１８７は当接又は僅かに離間された状態となっている。したがって、上記軸線を中心として、内側カバー部材１８１と外側カバー部材１９１とが相互に回動しようとしても、位置決め用溝１９６の側壁部に位置決め用突起１８７が当接し、その回動が阻止されることとなる。なお、入り込んだ位置決め用溝１９６の側壁部に対して位置決め用突起１８７が当接した状態とすることで、上記回動の阻止が確実に行われる。
【００９６】
また、図１９に示すように、外側カバー部材１９１の外側環状壁部１９４に形成された開口部２１２において、左右の側壁部２１２ａは前後方向の途中位置から後側壁部２１２ｂに向けて開口幅が狭くなるようにテーパ状をなしている。これに対応させて、弾性固定部材２０１における爪部２０５の先端も先細りとなるようにその左右両側がテーパ状となっている。そして、開口部２１２のテーパ部分と爪部２０５のテーパ部分とは接している。これにより、上記軸線を中心として、内側カバー部材１８１と外側カバー部材１９１とが相互に回動しようとしても、開口部２１２の側壁部２１２ａと爪部２０５との当接により、その回動が阻止されることとなる。
【００９７】
次に、基部１５１に対する前面カバー１５２の固定に関する構成について説明する。
【００９８】
弾性固定部材２０１を介して内側カバー部材１８１と外側カバー部材１９１とが一体化されてなる前面カバー１５２は、基部１５１にネジ止めされている。詳細には、内側カバー部材１８１の裏面に形成されたカバー側ボス１８５，１８６のうち、内側カバー部材１８１と外側カバー部材１９１との固定に用いられないカバー側ボス１８６には、図１２に示すように、軸線方向に延び、先端に開放されたネジ穴１８６ａが形成されている。ちなみに、これらカバー側ボス１８６は、内側カバー部材１８１の上部側及び下部側のそれぞれに形成されており、さらに上部側の方が下部側よりもその数が多くなっている。なお、上部側の数と下部側の数とを同数としてもよく、上部側の方が下部側よりもその数を少なくしてもよい。また、カバー側ボス１８６は、内側環状壁部１８４の先端よりも後方にあり外側環状壁部１９４の先端よりも前方にあるが、これは任意である。
【００９９】
カバー側ボス１８６に１対１で対応させて基部１５１には、上記のとおり基部側ボス１６７が形成されている。基部側ボス１６７は、図９に示すように、基部１５１における拡径領域１６１の周壁部を内外に貫通した管形状をなしている。これら基部側ボス１６７は拡径領域１６１の前方に設置された操作部１５３を軸線方向に貫通している。
【０１００】
上記構成において、前面カバー１５２を基部１５１に固定する場合には、カバー側ボス１８６のネジ穴１８６ａとそれに対応する基部側ボス１６７の貫通孔１６７ａとが連通するように、前面カバー１５２が基部１５１に対して設置される。この際、基部側ボス１６７の貫通孔１６７ａはその先端側が拡径されており、この拡径された先端部に対してカバー側ボス１８６の先端が挿入されている。なお、この挿入関係が、基部側ボス１６７とカバー側ボス１８６とで逆であってもよい。そして、図１１に示すように、基部１５１の後方から基部側ボス１６７の貫通孔１６７ａ内にネジ２１６が挿通され、当該ネジ２１６がカバー側ボス１８６のネジ穴１８６ａに螺着されている。これにより、基部１５１に対して前面カバー１５２が固定されている。
【０１０１】
以上のように基部１５１に対して前面カバー１５２が固定された状態において、基部１５１と前面カバー１５２との間には、操作部１５３が設置されている。この場合、図１０に示すように、操作部１５３における外環部１７５よりも内側に、基部１５１における環状段差部１６６よりも先端側が入り込んでいるとともに、前面カバー１５２における外側環状壁部１９４が入り込んでおり、外環部１７５は基部１５１の環状段差部（基部側対向壁部）１６６と前面カバー１５２の環状段差部（カバー側対向壁部）１９５との間に位置している。つまり、外環部１７５の後側端部は基部１５１の環状段差部１６６と対峙しており、外環部１７５の前側端部は前面カバー１５２の環状段差部１９５と対峙している。また、前後の環状段差部１６６，１９５間の距離は外環部１７５の前後方向寸法よりも大きくなっており、外環部１７５は前後の環状段差部１６６，１９５により挟持されていないが、外環部１７５と前側の環状段差部１６６との間や外環部１７５と後側の環状段差部１９５との間にコインや硬貨を差し込むことができないように、外環部１７５の前後方向寸法に対する前後の環状段差部１６６，１９５間の距離が設定されている。ちなみに、外環部１７５と前後の環状段差部１６６，１９５との間の隙間は、０．１ｍｍ以上１ｍｍ未満となっている。なお、外環部１７５と前後の環状段差部１６６，１９５との間の隙間が生じないようにしてもよい。
【０１０２】
上記構成であることにより、操作部１５３と前面カバー１５２との間、又は操作部１５３と基部１５１との間にコインや硬貨を差し込み、操作部１５３を無理に仮固定しようとしても、それが困難又は不可能となっている。つまり、操作部１５３の外環部１７５が前後の環状段差部１６６，１９５間に位置していることにより、外環部１７５と基部１５１において外環部１７５内側に入り込んだ領域との間や、外環部１７５と前面カバー１５２において外環部１７５内側に入り込んだ領域との間にコインや硬貨を差し込もうとしても、それが困難又は不可能となっている。また、外環部１７５の前後方向方向寸法に対する前後の環状段差部１６６，１９５間の距離が上記のように設定されており、さらには、前面カバー１５２は上記のとおり内側カバー部材１８１と外側カバー部材１９１との二重構造となっているが、外側カバー部材１９１が内側カバー部材１８１側（後方）に向けて付勢された状態で固定されているとともに、内側カバー部材１８１はネジ２１６を介して基部１５１に対して強固に固定されている。したがって、外環部１７５と基部１５１の環状段差部１６６との間や、外環部１７５と前面カバー１５２の環状段差部１９５との間にコインや硬貨を差し込もうとしても、それが困難又は不可能となっている。以上より、従来のように操作部１５３の仮固定が無理に行われハンドル装置４１が破損等してしまうことが防止されている。
【０１０３】
上記のように操作部１５３における外環部１７５よりも内側に前面カバー１５２の外側環状壁部１９４が入り込んでいることにより、内側カバー部材１８１と外側カバー部材１９１との固定箇所、具体的には、外側カバー部材１９１の開口部２１２に対する弾性固定部材２０１の爪部２０５の引掛け箇所が、外環部１７５により外側から覆われている。ここで、上記のとおり、内側カバー部材１８１の裏面にカバー側ボス１８５が形成されており、このカバー側ボス１８５に対して弾性固定部材２０１が固定されている。つまり、内側カバー部材１８１と外側カバー部材１９１との固定箇所はその全体が、内側カバー部材１８１、操作部１５３及び基部１５１により覆われた空間内にある。そして、内側カバー部材１８１、操作部１５３及び基部１５１は不透明性材料により形成されているため、内側カバー部材１８１と外側カバー部材１９１との固定箇所は、ハンドル装置４１の外観上、視認不可能となっている。
【０１０４】
また、上記のとおり、内側カバー部材１８１の裏面に形成されたカバー側ボス１８６を介して、前面カバー１５２と基部１５１とが固定されている。つまり、前面カバー１５２と基部１５１との固定箇所はその全体が、内側カバー部材、操作部１５３及び基部１５１により覆われた空間内にあり、ハンドル装置４１の外観上、視認不可能となっている。
【０１０５】
また、内側カバー部材１８１と外側カバー部材１９１との回動規制箇所（回動方向の位置決め箇所）、具体的には、外側カバー部材１９１の位置決め用溝１９６に対する内側カバー部材１８１の位置決め用突起１８７の入り込み箇所が、外環部１７５により外側から覆われている。これにより、内側カバー部材１８１と外側カバー部材１９１との回動規制箇所は、ハンドル装置４１の外観上、視認不可能となっている。
【０１０６】
ハンドル装置４１の操作部１５３が回動操作される場合、回動操作力が前面カバー１５２の外側カバー部材１９１に付加されることがある。この場合に、上記のとおり、内側カバー部材１８１と外側カバー部材１９１との相互の回動が規制されていることにより、上記のように回動操作力が付加されたとしても、外側カバー部材１９１が回動してしまうことが防止されている。なお、上記のとおり基部側ボス１６７に対してカバー側ボス１８６の先端が挿入されているため、上記回動操作力により基部１５１に対する前面カバー１５２の回動が規制されている。
【０１０７】
次に、パチンコ機１０の電気的構成について、図２０のブロック図に基づいて説明する。図２０では、電力の供給ラインを二重線矢印で示し、信号ラインを実線矢印で示す。
【０１０８】
主制御装置９２に設けられた主制御基板３０１には、主制御回路３０２と停電監視回路３０３（電断監視回路）とが内蔵されている。主制御回路３０２には、ＣＰＵ３１１が搭載されている。
【０１０９】
ＣＰＵ３１１には、当該ＣＰＵ３１１により実行される各種の制御プログラムや固定値データを記憶したＲＯＭ３１２（不揮発性情報記憶手段）と、そのＲＯＭ３１２内に記憶される制御プログラムの実行に際して各種のデータ等を一時的に記憶するためのメモリであるＲＡＭ３１３（揮発性情報記憶手段）と、割込回路やタイマ回路、データ入出力回路などの各種回路が内蔵されている。
【０１１０】
ＲＡＭ３１３は、パチンコ機１０の電源の遮断後においても電源及び発射制御装置１４３に設けられた電源及び発射制御基板３２１からデータ記憶保持用電力が供給されてデータが保持される構成となっている。
【０１１１】
ＣＰＵ３１１には、入力ポート及び出力ポートがそれぞれ設けられている。ＣＰＵ３１１の入力側には、主制御基板３０１に設けられた停電監視回路３０３、払出制御装置１４２に設けられた払出制御基板３２２及びその他図示しないスイッチ群などが接続されている。この場合に、停電監視回路３０３には電源及び発射制御基板３２１が接続されており、ＣＰＵ３１１（主制御回路３０２）には停電監視回路３０３を介して電力が供給される。
【０１１２】
一方、ＣＰＵ３１１の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１０１に設けられた音声ランプ制御基板３２４に対して各種コマンドなどが出力される。
【０１１３】
停電監視回路３０３は、主制御回路３０２と電源及び発射制御基板３２１とを中継し、また電源及び発射制御基板３２１から出力される最大電圧である直流安定２４ボルトの電圧を監視する。
【０１１４】
払出制御基板３２２は、払出装置１３４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０１１５】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０１１６】
払出制御基板３２２のＣＰＵ３３１には、入出力ポートが設けられている。ＣＰＵ３３１の入力側には、主制御回路３０２、電源及び発射制御基板３２１、及び裏パック基板１３５が接続されている。また、ＣＰＵ３３１の出力側には、主制御回路３０２及び裏パック基板１３５が接続されている。
【０１１７】
電源及び発射制御基板３２１は、電源部３２１ａと発射制御部３２１ｂとを備えている。電源部３２１ａは、例えば、遊技ホール等における商用電源（外部電源）に接続されている。そして、その商用電源から供給される外部電力に基づいて主制御回路３０２や払出制御基板３２２等に対して各々に必要な動作電力を生成するとともに、その生成した動作電力を二重線矢印で示す経路を通じて主制御回路３０２や払出制御基板３２２等に対して供給する。その概要としては、電源部３２１ａは、裏パック接続基板２２９を介して供給される交流２４ボルト電源を取り込み、各種スイッチやモータ等を駆動するための＋１２Ｖ電力、ロジック用の＋５Ｖ電力などを生成し、これら＋１２Ｖ電力、＋５Ｖ電力を主制御回路３０２や払出制御基板３２２等に対して供給する。
【０１１８】
発射制御部３２１ｂは、遊技者によるハンドル装置４１の操作にしたがって遊技球発射機構８０の発射制御を担うものであり、遊技球発射機構８０は所定の発射条件が整っている場合に駆動される。
【０１１９】
また、電源及び発射制御基板３２１には、データ記憶保持用コンデンサ３２１ｃが搭載されている。データ記憶保持用コンデンサ３２１ｃは、電源部３２１ａが接続されており、パチンコ機１０の電源がＯＮ状態の場合には蓄電される。また、データ記憶保持用コンデンサ３２１ｃは主制御回路３０２におけるＣＰＵ３１１のＶＢＢ端子に接続されており、パチンコ機１０の電源がＯＦＦ状態の場合や商用電源における停電発生時等といった電源遮断状態では、データ記憶保持用コンデンサ３２１ｃから放電されＲＡＭ３１３に対してデータ記憶保持用電力が供給される。よって、かかる状況であっても、データ記憶保持用コンデンサ３２１ｃからデータ記憶保持用電力が供給されている間はＲＡＭ３１３に記憶されたデータが消去されることなく保持される。
【０１２０】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１２１】
音声ランプ制御基板３２４のＣＰＵ３４１には入出力ポートが設けられている。ＣＰＵ３４１の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置７１を制御する。
【０１２２】
以上詳述した本実施の形態によれば、以下の優れた効果を奏する。
【０１２３】
ハンドル装置４１において、前面カバー１５２を内側カバー部材１８１と外側カバー部材１９１とを備えた内外二重構造とし、内側カバー部材１８１を不透明性材料により形成するとともに外側カバー部材１９１を透明性材料によりした。これにより、前面カバー１５２のデザイン性が高められ、それに伴ってハンドル装置４１のデザイン性が高められる。
【０１２４】
上記構成において、内側カバー部材１８１と外側カバー部材１９１とは、内側カバー部材１８１の裏面に固定された弾性固定部材２０１が弾性変形し、その弾性変形によって生じる付勢力が外側カバー部材１９１の開口部２１２により受けられていることで相互に固定されている。そして、弾性固定部材２０１や開口部２１２といった内側カバー部材１８１と外側カバー部材１９１との固定箇所はその全体が、内側カバー部材１８１、操作部１５３及び基部１５１により覆われた空間内にある。これら内側カバー部材１８１、操作部１５３及び基部１５１は不透明性材料により形成されているため、内側カバー部材１８１と外側カバー部材１９１との固定箇所は、ハンドル装置４１の外観上、視認不可能となっている。
【０１２５】
また、上記のとおり、内側カバー部材１８１の裏面に形成されたカバー側ボス１８６を介して、前面カバー１５２と基部１５１とが固定されている。つまり、前面カバー１５２と基部１５１との固定箇所はその全体が、内側カバー部材１８１、操作部１５３及び基部１５１により覆われた空間内にあり、ハンドル装置４１の外観上、視認不可能となっている。
【０１２６】
以上より、前面カバー１５２を内側カバー部材１８１と外側カバー部材１９１との内外二重構造とした構成において、内側カバー部材１８１と外側カバー部材１９１との固定に関する構成及び前面カバー１５２と基部１５１との固定に関する構成を、ハンドル装置４１の外観上、視認不可なものとすることが可能となる。よって、ハンドル装置４１のデザイン性を良好に高めることができる。
【０１２７】
上記構成において、操作部１５３の外環部１７５が基部１５１の環状段差部１６６と前面カバー１５２の環状段差部１９５との間に位置していることにより、外環部１７５と基部１５１において外環部１７５内側に入り込んだ領域との間や、外環部１７５と前面カバー１５２において外環部１７５内側に入り込んだ領域との間にコインや硬貨を差し込もうとしても、それが困難又は不可能となっている。また、外環部１７５の前後方向寸法に対する前後の環状段差部１６６，１９５間の距離がコイン等の厚み寸法よりも小さく設定されており、さらには、前面カバー１５２は上記のとおり内側カバー部材１８１と外側カバー部材１９１との二重構造となっているが、外側カバー部材１９１が内側カバー部材１８１側（後方）に向けて付勢された状態で固定されているとともに、内側カバー部材１８１はネジ２１６を介して基部１５１に対して強固に固定されている。したがって、外環部１７５と基部１５１の環状段差部１６６との間や、外環部１７５と前面カバー１５２の環状段差部１９５との間にコインや硬貨を差し込もうとしても、それが困難又は不可能となっている。以上より、従来のように操作部１５３の仮固定が無理に行われることに起因したハンドル装置４１における破損等の発生が防止されている。
【０１２８】
また、弾性固定部材２０１を用いた内側カバー部材１８１と外側カバー部材１９１との固定を、前面カバー１５２周縁における少なくとも上部において行うようにした。コイン等により操作部１５３を無理に仮固定しようとする行為は一般的に前面カバー１５２の周縁における上部において行われる。これに対して、本構成によれば、内側カバー部材１８１と外側カバー部材１９１との固定の緩みが前面カバー１５２の周縁における上部において直接解消されているため、上記仮固定の行為を直接的に抑制することが可能となる。また、弾性固定部材２０１を用いた内側カバー部材１８１と外側カバー部材１９１との固定を、前面カバー１５２周縁における複数箇所において行うようにした。これにより、内側カバー部材１８１と外側カバー部材１９１との固定の緩みが前面カバー１５２周縁における全周において解消することが可能となる。よって、コイン等による仮固定の行為を効果的に抑制することが可能となる。
【０１２９】
上記のように前面カバー部材１５２を内外二重構造とした構成においては、操作部１５３の回動操作に際して外側カバー部材１９１が操作部１５３の回動方向へ回動してしまうおそれがある。これに対して、弾性固定部材２０１と開口部２１２との当接により、外側カバー部材１９１の回動を規制するようにした。これにより、上記不都合の発生を防止することができる。また、本構成においては、弾性固定部材２０１と開口部２１２とが回動規制機能をも有することとなり、弾性固定部材２０１及び開口部２１２の多機能化が図られる。
【０１３０】
内側カバー部材１８１に位置決め用突起１８７を形成するとともに外側カバー部材１９１に位置決め用溝１９６を形成した。そして、位置決め用溝１９６に位置決め用突起１８７が入り込むことで、外側カバー部材１９１の回動を規制するようにした。これにより、操作部１５３の回動操作に際して外側カバー部材１９１が操作部１５３の回動方向へ回動してしまうことを防止することができる。また、本構成においては、外側カバー部材１９１に内側カバー部材１８１を嵌め込む際の位置決め機能を有する位置決め用突起１８７及び位置決め用溝１９６により、上記回動規制機能が果たされる。つまり、位置決め用突起１８７及び位置決め用溝１９６の多機能化が図られている。
【０１３１】
また、位置決め用溝１９６に対する位置決め用突起１８７の入り込み箇所が、外環部１７５により外側から覆われており、上記入り込み箇所は、ハンドル装置４１の外観上、視認不可能となっている。よって、位置決め用突起１８７及び位置決め用溝１９６を設けた構成において、ハンドル装置４１のデザイン性が低下しないようにすることができる。
【０１３２】
なお、上述した実施の形態の記載内容に限定されず、例えば次のように実施してもよい。
【０１３３】
（１）ハンドル装置４１における前面カバー１５２の変形例を図２１及び図２２に示す。
【０１３４】
（１−１）図２１に示す変形例では、弾性固定部材２０１の爪部２０５は、その左右の端部が共に開口部２１２の左右の側壁部２１２ａに当接していない。つまり、本構成では、弾性固定部材２０１は内側カバー部材１８１と外側カバー部材１９１との相互の回動を規制する機能を有していない。本構成であっても、内側カバー部材１８１に突起１８７が形成されているとともに、外側カバー部材１９１に溝１９６が形成されていることにより、内側カバー部材１８１と外側カバー部材１９１との相互の回動が規制されている。
【０１３５】
（１−２）図２２に示す変形例では、弾性固定部材２０１の爪部２０５には、その先端に凹部２２１が形成されており、当該凹部２２１に対応させて開口部２１２の後側壁部２１２ｂには凸部２２２が形成されている。そして、爪部２０５の先端が開口部２１２の後側壁部２１２ｂに当接した状態では、凹部２２１内に凸部２２２が入り込んでいる。このように凹部２２１内に凸部２２２が入り込んでいることにより、内側カバー部材１８１と外側カバー部材１９１との相互の回動が規制されている。なお、本構成では、上記凹部２２１と凸部２２２とにより回動規制機能が十分に果たされるため、内側カバー部材１８１に対して突起１８７は形成されておらず、これに対応して、外側カバー部材１９１に溝１９６は形成されていない。
【０１３６】
（２）上記実施の形態では、外側カバー部材１９１を透明性材料により形成したが、当該外側カバー部材１９１を内側カバー部材１８１の視認性を確保する範囲内において反透明性材料により形成してもよい。当該構成であっても、前面カバー１５２のデザイン性を従来よりも高めることができる。
【０１３７】
（３）上記実施の形態では、前面カバー１５２を内側カバー部材１８１と外側カバー部材１９１との二重構造としたが、三重又は四重以上の複数層構造としてもよい。例えば、内側カバー部材１８１と外側カバー部材１９１との間に中間カバー部材を介在させ、内外三層構造としてもよい。この場合、中間カバー部材を内側カバー部材１８１と外側カバー部材１９１とで挟持することで、中間カバー部材について特別な固定構造を設ける必要はなくなる。
【０１３８】
（４）上記実施の形態において、位置決め用突起１８７と位置決め用溝１９６とを、両者の位置合わせにより、内側カバー部材１８１の凹部２１１と外側カバー部材１９１の開口部２１２とが確実に重なり合うように形成してもよい。具体的には、位置決め用突起１８７と位置決め用溝１９６との組合せを１組のみ形成する構成や、複数組形成する構成においてはそれら各組の間隔を等間隔とならないようにする構成が考えられる。本構成によれば、外側カバー部材１９１に内側カバー部材１８１を嵌め込む際における、凹部２１１と開口部２１２との位置合わせが確実に自ずと行われることとなる。
【０１３９】
（５）上記実施の形態では、弾性固定部材２０１を段差状としたが、段差状であることは必須ではなく、弾性変形可能であれば、その形状は任意である。
【０１４０】
（６）内側カバー部材１８１と外側カバー部材１９１とが相互に近付くように付勢されて固定されるのであれば、弾性固定部材２０１を用いた内側カバー部材１８１と外側カバー部材１９１との固定に関する構成を、上記実施の形態のものとは異ならせてもよい。例えば、内側カバー１８１の表面側に外側カバー部材１９１を配置した状態では外側カバー部材１９１の裏面の一部に内側カバー部材１８１の表面の一部が接することで、両者が完全には重なり合わないようにする。そして、この状態では、内側カバー部材１８１の凹部２１１と外側カバー部材の開口部２１２の位置関係を、凹部２１１と開口部２１２とが内外に重なり合うものの、これら凹部２１１及び開口部２１２内に爪部２０５が挿入されるようにカバー側ボス１８５に対して弾性固定部材２０１を配置した際に、爪部２０５の先端が開口部２１２の後側壁部に接することで、当該弾性固定部材２０１がカバー側ボス１８５を中心として外側部分が前方に倒れ傾いた状態となるように設定する。当該構成であっても、ネジ２１５によるカバー側ボス１８５に対する弾性固定部材２０１の固定を完了することで、当該弾性固定部材２０１はカバー側ボス１８５を中心として傾いた状態から内外に釣り合った状態に向けて移動し、それに伴って弾性固定部材２０１の爪部２０５が開口部２１２の後側壁部を後方へ押し込む。これにより、開口部２１２の後側壁部に対して爪部２０５から後方に向けた力が付加され、内側カバー部材１８１と外側カバー部材１９１とが相互に固定されるとともに、内側カバー部材１８１と外側カバー部材１９１とが相互に近付くように付勢されて固定される。
【０１４１】
（７）上記実施の形態では、外側カバー部材１９１には付勢受け部として開口部２１２を設けたが、これに代えて、外側カバー部材１９１の外側環状壁部１９４の裏面に有底の穴部を形成し、この穴部にて弾性固定部材２０１の爪部２０５を受ける構成としてもよい。
【０１４２】
（８）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【符号の説明】
【０１４３】
１０…遊技機としてのパチンコ機、１３…遊技機主部、４１…ハンドル装置、１５１…基部、１５２…前面カバー、１５３…操作部、１６６…環状段差部、１８１…内側カバー部材、１８６…固定受け部としてのカバー側ボス、１８７…内側規制部としての位置決め用突起、１９１…外側カバー部材、１９５…環状段差部、１９６…外側規制部としての位置決め用溝、２０１…弾性固定部材、２１２…付勢受け部としての開口部、２１６…固定具としてのネジ。
【図１】
0005633542.tif 000002
【図２】
0005633542.tif 000003
【図３】
0005633542.tif 000004
【図４】
0005633542.tif 000005
【図５】
0005633542.tif 000006
【図６】
0005633542.tif 000007
【図７】
0005633542.tif 000008
【図８】
0005633542.tif 000009
【図９】
0005633542.tif 000010
【図１０】
0005633542.tif 000011
【図１１】
0005633542.tif 000012
【図１２】
0005633542.tif 000013
【図１３】
0005633542.tif 000014
【図１４】
0005633542.tif 000015
【図１５】
0005633542.tif 000016
【図１６】
0005633542.tif 000017
【図１７】
0005633542.tif 000018
【図１８】
0005633542.tif 000019
【図１９】
0005633542.tif 000020
【図２０】
0005633542.tif 000021
【図２１】
0005633542.tif 000022
【図２２】
0005633542.tif 000023
【図２３】
0005633542.tif 000024